(57)【要約】【課題】マッサージ効果が高く、上下方向のみならず周方向の血行の促進効果が大きいインナー・ウェアを提供する。【解決手段】編地からなるインナー・ウェアの内面に、保持ループとして少なくとも４コース以上ウエルトループが形成された浮き編３０が１ないし５ウェールの間隔を開けて編成され内方に突出する畝１１、１２が多数本形成されており、浮き編の開始位置が順次ずらされて畝は実質的に互いに平行に且つ右上りに延在する斜めの畝１１と実質的に互いに平行に且つ左上りに延在する斜めの畝１２とからなり、これら２種類の斜めの畝が互いに交差して、菱形状の隆起部１０が連続して形成されている。【選択図】　　　　図１
2004100054.tif 000002
【特許請求の範囲】
【請求項１】
編地からなるインナー・ウェアの内面に、内方に突出する畝が多数本形成されており、該畝は実質的に互いに平行に且つ右上りに延在する斜めの畝と実質的に互いに平行に且つ左上りに延在する斜めの畝とからなり、これら２種類の斜めの畝が互いに交差して、菱形状の隆起部が連続して形成されていることを特徴とするインナー・ウェア。
【請求項２】
保持ループとして少なくとも４コース以上ウエルトループが形成された浮き編が１ないし５ウェールの間隔を開けて編成され且つ前記浮き編の開始位置が順次ずらされて、前記斜めの畝が形成されていることを特徴とする請求項１記載のインナー・ウェア。
【請求項３】
前記浮き編の開始位置が１ないし５コースずつ順次ずらされて、斜めの畝が形成されていることを特徴とする請求項２記載のインナー・ウェア。
【請求項４】
前記浮き編の開始位置が一定のコース数ずつ順次ずらされて、斜めの畝が形成されていることを特徴とする請求項２または３記載のインナー・ウェア。
【請求項５】
前記浮き編の開始位置がばらばらに順次ずらされて、斜めの畝が形成されていることを特徴とする請求項２または３記載のインナー・ウェア。
【請求項６】
右上りに延在する斜めの畝と左上りに延在する斜めの畝との交差する部分の高さが畝の他の部分よりも高いことを特徴とする請求項１〜５の何れか１項に記載のインナー・ウェア。
【請求項７】
前記菱形状の隆起部に囲まれた箇所内に浮き編が設けられていることを特徴とする請求項１〜６の何れか１項に記載のインナー・ウェア。
【請求項８】
前記インナー・ウェアがパンツ部を有するものであり、それの大腿部および足の付け根付近の腹部に前記菱形状の隆起部が設けられていることを特徴とする請求項１〜７の何れか１項に記載のインナー・ウェア。
【請求項９】
前記インナー・ウェアが上衣であり、それの腹部に前記菱形状の隆起部が設けられていることを特徴とする請求項１〜７の何れか１項に記載のインナー・ウェア。
【請求項１０】
前記インナー・ウェアが袖付きの上衣であり、それの上腕部に前記菱形状の隆起部が設けられていることを特徴とする請求項１〜７、９の何れか１項に記載のインナー・ウェア。
【発明の詳細な説明】
【０００１】
【発明の属する技術分野】
本発明はインナー・ウェアに関するものである。本発明におけるインナー・ウェアは身体にフィットさせた状態で着用するものであり、例えば、パンツ部を有するインナー（ガードル、スパッツ、タイツ、パンティストッキング等）、上衣用インナー（タンクトップ、肌着、スリップ、オール・イン・ワン等）、サポータ、腹巻、靴下（ソックス、ハイソックス、オーバーニー等）である。
【０００２】
【従来の技術】
インナー・ウェアは肌に直接つけて衛生を保つ、体形を整える、表着との間に着て滑りをよくする、保温する等の機能の何れかを有するものであるが、最近では身体にフィットさせた状態で着用するインナー・ウェアが多用されている。このような身体にフィットさせた状態で着用するインナー・ウェアには、伸縮性の大きい編地が少なくともフィットさせたい部分に使用されている。
【０００３】
身体にフィットさせた状態で着用するインナー・ウェアでは、着圧を変化させることにより血液の還流を促したり、フィットさせた部位にマッサージ効果、リラックス効果等をもたらすことが従来から提案されている。
【０００４】
例えば、靴下の各部分における着圧（締付け力）を変化させることにより、足の血行を促すことが提案されている。具体的には、例えば、特許文献１（特許第２８２２０９０号公報）、特許文献２（特開平８−１９９４０４号公報）および特許文献３（特開２００１−１４０１０４号公報）においては、足から大腿部に至るまでの靴下による着圧を徐々に低くすることにより静脈からの血の還流を促すことが提案されている。
【０００５】
これらの特許文献１〜３に開示されているものは、何れも着圧の変化は編成時における糸の給糸量を調整することにより、土踏まず、足首部、ふくらはぎ部、大腿部において徐々に着圧が低くなるように設計されている。
【０００６】
また、特許文献４（特開平１１−１５２６０７号公報）には、ガードルに包まれた体の部位（臀部、尻および腿を包む領域）が平メッシュの編み面に対して浮き上がった波形を有するタックステッチメッシュによって形成されているタイツ用ガードルが提案されている。このガードルは、着用中の骨盤の運動により、隆起した波形領域が皮膚に対して摩擦を生じ、これによりマッサージ効果、爽快効果やリラックス効果を生じさせるものである。
【０００７】
前記特許文献４の発明を改良したものとして、特許文献５（特開２００１−３３６００１号公報）には、タック編による波形隆起部を複数本づつ群として、タック編部群とタック編部群との間に平編地を配設することが提案されている。タック編部群の間に平編地を介在させることによりマッサージ効果、爽快効果やリラックス効果をより高めようとするものである。
【０００８】
更に、特許文献６（特開２００２−１４６６５４号公報）には、タイツ、ガードル、靴下等に適用する編物として、略円形状、略方形状、略三角形状等の突起部を浮き編により形成し、この突起部を千鳥模様状または市松模様状に設けた編物が提案されている。この編物は肌に接する裏面側に突起部があって、マッサージ作用、滑止作用を奏するものである。
【０００９】
また、本願出願人は先に特許文献７（特願２００２−１３８８８２号）において、靴下の内面に周方向に延在する畝が多数本形成されており、この畝を直線状またはジグザグ状に浮き編により形成することを提案した。この靴下はマッサージ効果が高く、しかも、タック編を用いていないので編目が開いたメッシュ状とならないものである。
【００１０】
【特許文献１】
特許第２８２２０９０号公報
【特許文献２】
特開平８−１９９４０４号公報
【特許文献３】
特開２００１−１４０１０４号公報
【特許文献４】
特開平１１−１５２６０７号公報
【特許文献５】
特開２００１−３３６００１号公報
【特許文献６】
特開２００２−１４６６５４号公報
【特許文献７】
特願２００２−１３８８８２号
【００１１】
【発明が解決しようとする課題】
しかし、特許文献１〜３等に開示された従来の技術のように、単に着圧を変化させただけでは静脈における血液の還流が不充分であり、充分な血行を得ることが困難であった。
【００１２】
特許文献４、５に開示された従来の技術のように、タック編により隆起部を形成したものではマッサージ効果はあまり高くなく、しかもタック編した部分の編目が大きくなってしまい編目が開いたメッシュ状となり、ファッション性が損なわれる。
【００１３】
また、特許文献６に開示された従来の技術のように、略円形状等の突起部を浮き編により形成し、この突起部を千鳥模様状または市松模様状に設けた編物においては、突起部によるマッサージ効果はあまり高くない。
【００１４】
本願出願人が先に提案した特許文献７の発明による靴下においては、浮き編による畝を直線またはジグザグ状に周方向に延在させているので、下から上への血行の促進効果は充分に得られた。しかし、周方向（横方向）への血行の促進効果は下から上への血行の促進効果ほど大きくはなかった。
【００１５】
靴下の場合は、特にふくらはぎ部においては下から上への血行の促進が重要であるが、大腿部、腹部、ウエスト部、上腕部等においては、上下方向のみならず周方向の血行の促進が望まれる。
【００１６】
本発明はこのような問題に鑑みて、マッサージ効果が高く、上下方向のみならず周方向の血行の促進効果が大きいインナー・ウェアを提供することを目的とする。
【００１７】
【課題を解決するための手段】
本発明は、編地からなるインナー・ウェアの内面に、内方に突出する畝が多数本形成されており、該畝は実質的に互いに平行に且つ右上りに延在する斜めの畝と実質的に互いに平行に且つ左上りに延在する斜めの畝とからなり、これら２種類の斜めの畝が互いに交差して、菱形状の隆起部が連続して形成されていることを特徴とするインナー・ウェアにより前記目的を達成する。
【００１８】
更に詳しくは、保持ループとして少なくとも４コース以上ウエルトループが形成された浮き編が１ないし５ウェールの間隔を開けて編成され且つ前記浮き編の開始位置が順次ずらされて、前記斜めの畝が形成されている。
【００１９】
前記浮き編の開始位置は１ないし５コースずつ順次ずらされるが、ずらすコース数は一定のコース数でもよいし、ばらばらでもよい。また、畝の高さは一定でもよいし、或いは畝と畝との交差する部分の高さが畝の他の部分よりも高くてもよい。また、菱形状の隆起部に囲まれた箇所内に浮き編を設けることが好ましい。
【００２０】
本発明のインナー・ウェアがパンツ部を有するインナー（ガードル、スパッツ、タイツ、パンティストッキング等）である場合は、それの大腿部および足の付け根付近の腹部に前記菱形状の隆起部が設けられていることが好ましい。
【００２１】
また、本発明のインナー・ウェアが上衣である場合は、それの腹部や上腕部に前記菱形状の隆起部が設けられていることが好ましい。
【００２２】
【発明の実施の形態】
以下、本発明の実施の形態を図面に基いて説明する。図１は本発明のインナー・ウェアの一実施例を示すものであり、この図１に示したインナー・ウェアはパンツ部を有するものであり、所謂ガードルである。このガードルを裏返ししてインナー・ウェアの内面を表側に表して描いた概略図である。図１（ａ）は前側を示し、図１（ｂ）は後側を示している。
【００２３】
この図１において、領域２（すなわち大腿部および足の付け根付近の腹部）において本発明の特徴とする菱形状の隆起部１０が形成されている。腹部の中央部３には、後に説明するように、Ｖ形の隆起した畝が形成されている。また、ヒップ部の中央部４、４′には斜めに傾斜している畝が形成されている。ウェスト近くの脇の部分６には、本発明の特徴である菱形状の隆起部１０が同様に形成されている。その他の部分については畝は形成されておらず、後でその編方の一例を示す。
【００２４】
図２は図１において大腿部および足の付け根付近の腹部に形成される菱形状の隆起部１０を模式的に表した斜視図である。菱形状の隆起部１０は右上がりに延在する斜めの畝１１と左上がりに延在する斜めの畝１２により形成される。この畝はインナー・ウェアの内面、すなわち着用者の肌に接する側に突出しており、インナー・ウェアの表側から見ると、その表面は略平坦である。また、図２において菱形状の隆起部１０に囲まれた凹部２０の領域において浮き編３０′が設けられている。この浮き編３０′は凹部２０が内面側に突出しないようにするのに役立つものであるが、適宜、この浮き編３０′をなくすこともできる。
【００２５】
本発明における菱形状の隆起部１０の形状を図３に模式的に示している。本発明における菱形状の隆起部１０は図３（ａ）に示すように、四辺が皆等しい完全な菱形を連続的に形成したものであってもよいし、或いは編み方によっては図３（ｂ）のように、右上がりの畝１１および左上がりの畝１２がそれぞれ完全な直線ではなく僅かにジグザグしていてもよく、菱形状と見られる形状を構成すればよい。図３（ｂ）においては四辺形を構成している４辺のうち、上側の２辺の長さは等しく、また、下側の２辺の長さも等しいが、上側の辺と下側の辺とは長さが僅かに異なっているが全体としては菱形状と見られる形状のものである。
【００２６】
また、本発明においては、菱形は横方向に過度に偏平になった菱形や縦方向に細長過ぎる菱形ではなく、縦方向の対角線と横方向の対角線の比率が１：３〜３：１の程度であることが好ましい。また、一つの菱形の大きさは、短い方の対角線の長さが０．３ｃｍ〜３ｃｍ、長い方の対角線の長さが０．５ｃｍ〜５ｃｍ程度であることが好ましい。
【００２７】
また、図３（ｃ）においては右上がりの畝１１と左上がりの畝１２との交差部１３が高くなっていることを模式的に示したものである。これは編み方によって畝１１、１２を形成するために浮き編を用いているが、畝１１、１２に幅があるために交差部１３が長い浮き編となり高くなることがあったり、意図的に交差部の浮き編を長くして交差部を高くしてもよい。
【００２８】
図４は本発明における菱形状の隆起部１０を形成するための編組織図の一例を示したものである。図４において太枠で囲った部分が１リピートである。また、図４において○で囲ったＡの部分を拡大した編み目図を図５に示している。
【００２９】
図５において、符号Ｙ１は浮き編がその開始位置を順次ずらしながら編成される際に保持ループ３１を形成する糸を表し、符号Ｙ２は保持ループ３１を形成しない糸を示している。糸Ｙ１、Ｙ２の糸使いは特に限定されず、弾性糸（例えば、ポリウレタン糸を芯糸とし、これにナイロン糸をカバリングしたもの）、ウーリーナイロン糸、弾性糸とウーリーナイロン糸とを組合せたもの、その他の糸等を使用でき、インナー・ウェアの用途に合わせて適宜選定すればよい。
【００３０】
斜め方向に伸びる畝１１、１２の形成は、糸Ｙ１を保持ループ３１として浮き編３０を形成することにより行なうことができる。図４および図５に示した実施例において、編成時に浮き編３０を行なうウェールと通常の平編を行なうウェールとの比は１：２である。すなわち、浮き編３０は２ウェールの間隔を開けて形成されている。浮き編３０は糸Ｙ１によって編み目を保持した編み針が編成中にウエルト位置（不作動位置）をとり、編み目を保持したままとすることにより形成される。この保持するコース数は図５に示した実施例では６コースであり、６コース編む最中は浮き編３０の保持ループ３１となる編み目を保持した編み針はウエルト位置（不作動位置）に保たれたままであって、編成作動を行なわず、その間に供給される糸は編み目を形成せず、ウエルトループ３２となって、裏側に飛んだ状態となっている。このように、糸Ｙ１を保持ループ３１として浮き編３０とすることにより、浮き編３０と浮き編３０との間の平編部分および浮き編３０のウエルトループ３２が内面側に突出した状態となり、畝１１および畝１２を形成する。
【００３１】
図４において×の部分は浮き編を行なうことを示しており、すなわち、編成時に編み針が不作動位置にあり、編み針の編成運動が行なわれず、その箇所がウエルトループとなる。×のない部分は普通の平編を編む部分を示している。図４の実施例では、６コース飛ばしの浮き編３０を２ウェール置きに設けるものであり、浮き編３０を始める位置が２コースずつ右上がりにずらせて配置することにより右上がりの畝１１が形成され、左上がりにずらせて配置することにより２コースずつ左上がりの畝１２が形成される。
【００３２】
図４および図５に示した実施例では浮き編３０が２ウェールの間隔を開けて編成されているが、この浮き編３０を行なう間隔は１〜５ウェールの間隔を開けて編成してもよい。また、前述したものでは浮き編３０の開始位置を２コースずつ順次ずらせているが、このずらし方は１〜５コースずつずらすようにすることができる。更に、図４および図５に示した実施例では一定のコース数を順次ずらせているが、この浮き編３０の開始位置をばらばらに順次斜め上方にずらすようにしてもよい。
【００３３】
図６は本発明における図２に示すような菱形状の隆起部１０を形成するための別の実施例の編組織を記号で表したものであり、図７は前記図６に示した編組織を編み目で表した編組織図である。この図６に示した実施例において右上がりの畝１１および左上がりの畝１２は基本的には８コース飛ばしの浮き編３０によって形成される。この浮き編３０を行なうウェールと通常の平編を行なうウェールとの比は１：１であり、浮き編３０は１ウェール置きに形成されている。
【００３４】
この図６および図７に示した実施例において、右上がりの畝１１を作る場合は、浮き編３０の開始位置は右上がりに２コースずつずれて開始されている。また、左上がりの畝１２を作る場合は、２コースずつ左上がりにずれて浮き編３０が開始されている。この図６および図７に示した実施例においては交差部１３における畝の高さを図３（ｃ）に示すように高くするために、交差部１３では浮き編３０の開始位置を２コース分ずらす代わりに、４コース分ずらすことおよび６コース分ずらすことを交互に行なっている。そしてずらせた間の部分も浮き編３０とし、全体に長い浮き編３０が行なわれている。すなわち、図６および図７の実施例では、一番長い浮き編３０は、２０コースに跨がる浮き編み目（保持ループ３１）が作られている。
【００３５】
また、この実施例では、交差部１３において形成される隆起の高さが異なり、大きな隆起が形成される交差部１３とやや低い隆起が形成される交差部１３とがある。更に、この実施例においては右上りおよび左上りに連続的に配列された浮き編３０（編成後には隆起部１０となる）で囲まれた平編部分２０（編成後には凹部となる）に６コースに跨がる浮き編３０′が２箇所形成されている。この浮き編３０′は隆起部１０に囲まれた凹部２０となる平編部分が内面側に突出することを防ぐ役目をしているものである。
【００３６】
本発明における菱形状の隆起部１０は、前述した図４〜図７に示したものに限られるものではない。また、浮き編３０は４コース以上であれば３０コース飛ばし等の長いものでもよいが、２４コース飛ばし程度以下とすることが好ましい。図１に示したガードルにおける符号２で示した大腿部および足の付け根付近の腹部の領域には、この図６および図７に示したものを適用している。また、図１において、符号３で示した腹部の中央部は図８に示した編組織によって編成される。この図８に示した編組織では１４コースに跨がる浮き編３０が１ウェール置きに形成されており、その浮き編３０の開始位置が２コース分ずつずれて、右上がりまたは左上がりにずれており、これによりＶ字型の畝が形成される。
【００３７】
図１（ｂ）において符号４で示した左側のヒップの中央部は図９に示した編組織によって編まれている。この図９に示した編組織では１６コースに跨がる浮き編３０が１ウェール置きに形成されており、浮き編３０の開始位置が２コース分ずつ左上がりにずらされている。浮き編３０のコース数が腹部の中央部３における浮き編３０のコース数よりも大きいため、大きな畝が形成される。なお、符号４′で示した図１（ｂ）において右側となるヒップ部分は、図９に示した編組織を反転させた状態となるもので、左上がりにずらす代わりに、浮き編３０の開始位置を右上がりにずらすことによって右上がりの畝が形成されているものである。図１（ａ）において、符号５で示した領域の編み方は、例えば図１０に示すような編組織としてもよい。このような編組織は、畝のない平坦な状態となる。また、図１（ａ）において符号６で示したウエスト付近の両脇部分は菱形状の隆起部１０を形成するものであり、領域２と同じく図７で示したような編組織を使用している。
【００３８】
図１（ａ）において符号７で示したウエスト部分は、例えば図１１に示すような編組織を用いてもよい。また、図１おいて符号８で示した足側の端部の領域は例えば図１２で示すような編組織としている。これらの領域３〜８における編組織はこれに限定されるものではなく、従来知られている他の編み方でもよい。
【００３９】
図１に示したガードルにおいては、弾性糸を使用することが好ましく、例えば、浮き編の保持ループ３１を形成する糸Ｙ１として弾性糸とウーリーナイロン糸との２本使いで、糸Ｙ２として弾性糸１本を用いる。このように弾性糸を使用すると、他の編み目や編成状態に悪影響を与えることなく、多数のコースを浮き編とすることができる。しかも、できあがったインナー・ウェアにおいて弾性糸が充分に伸縮できるので、畝が平坦になるまで伸びることができる。そのため、弾性糸を使用せずに浮き編により畝を形成した場合や従来のように畝が全くないものに比べて、身体への締め付け感がなく、しかも身体に良くフィットする。
【００４０】
図１３は本発明のインナー・ウェアの別の実施例であり、このインナー・ウェアは肌着等の上衣であり、図１３（ａ）は前側、図１３（ｂ）は後側を示している。このインナー・ウェアにおいては符号４１で示した腹部の領域およびその背部の領域は本発明の菱形状の隆起部１０を有する編み目で形成されている。また、その袖部４２も少なくとも上腕部（二の腕部分）は本発明に係る菱形状の隆起部１０を有する編み物によって形成されている。
【００４１】
【発明の効果】
本発明によるインナー・ウェアにおいては菱形状の隆起部１０がインナー・ウェアの内面において内方に突出しているものであり、このため、着用者の肌に対して適宜な圧力を与えてマッサージする作用があり、血行促進効果がある。そして、この隆起部が菱形状であるために血行は上下方向のみならず周方向にも促進される。従って、足の付け根部のようにリンパ液も流れている部分では特に血行およびリンパ液の流れがよくなり、身体の僅かな動きや呼吸等によってもマッサージ効果が得られる。
【００４２】
また、インナー・ウェアの腹部領域を本発明の菱形状の隆起部を連続して形成したものとすることにより、着用者の腹部の周りの血行促進が行なわれるとともに、身体の引き締め効果が奏される。また、インナー・ウェアの上腕部に本発明の菱形状の隆起部を連続的に形成した編み地とすることにより、着用者の上腕部の引き締め効果とマッサージ効果が発揮できる。
【００４３】
本発明によるインナー・ウェアにおいては、菱形状の隆起部が連続して形成されており、菱形状の隆起部に囲まれた個々の凹部に空気を溜め込むことができるので、保温性に優れている。
【図面の簡単な説明】
【図１】本発明のインナー・ウェアの一実施例であり、インナー・ウェアを裏返しして、インナー・ウェアの内面を表側に表して描いた概略図であり、（ａ）は前側を示し、（ｂ）は後側を示している。
【図２】図１において大腿部および足の付け根付近の腹部に形成される菱形状の隆起部を模式的に表した斜視図である。
【図３】本発明における菱形状の隆起部を模式的に示した概略図である。
【図４】本発明における菱形状の隆起部を形成するための編組織図の一例を示したものである。
【図５】図４において○で囲ったＡの部分を拡大して示した編み目図である。
【図６】本発明における菱形状の隆起部を形成するための別の実施例の編組織を記号で表したものである。
【図７】図６に示した編組織を編み目で表した編組織図である。
【図８】腹部の領域の編組織の一例を示す編組織図である。
【図９】図１に示した実施例における左側のヒップの中央部の編組織の一例を示す編組織図である。
【図１０】図１に示した実施例における領域５の編み方の一例を示す編組織図である。
【図１１】図１に示した実施例におけるウエスト部分の編組織の一例を示す編組織図である。
【図１２】図１に示した実施例における足側の端部の編組織の一例を示す編組織図である。
【図１３】本発明のインナー・ウェアの別の実施例の概略図であり、（ａ）は前側、（ｂ）は後側を示している。
【符号の説明】
２　大腿部および足の付け根付近の腹部
３　腹部の中央部
４、４′　左右のヒップの中央部
６　脇の部分
１０　菱形状の隆起部
１１　右上がりに延在する斜めの畝
１２　左上がりに延在する斜めの畝
１３　交差部
２０　隆起部に囲まれた凹部
３０、３０′　浮き編
３１　保持ループ
３２　ウエルトループ
Ｙ１　保持ループを形成する糸
Ｙ２　保持ループを形成しない糸
【図１】
2004100054.tif 000003
【図２】
2004100054.tif 000004
【図３】
2004100054.tif 000005
【図４】
2004100054.tif 000006
【図５】
2004100054.tif 000007
【図６】
2004100054.tif 000008
【図７】
2004100054.tif 000009
【図８】
2004100054.tif 000010
【図９】
2004100054.tif 000011
【図１０】
2004100054.tif 000012
【図１１】
2004100054.tif 000013
【図１２】
2004100054.tif 000014
【図１３】
2004100054.tif 000015
【手続補正書】
【提出日】平成15年2月18日(2003.2.18)
【手続補正１】
【補正対象書類名】明細書
【補正対象項目名】特許請求の範囲
【補正方法】変更
【補正の内容】
【特許請求の範囲】
【請求項１】
編地からなるインナー・ウェアの内面に、内方に突出する畝が多数本形成されており、該畝は実質的に互いに平行に且つ右上りに延在する斜めの畝と実質的に互いに平行に且つ左上りに延在する斜めの畝とからなり、これら２種類の斜めの畝が互いに交差して、菱形状の隆起部が連続して形成されており、右上りに延在する斜めの畝と左上りに延在する斜めの畝との交差する部分の高さが畝の他の部分よりも高いことを特徴とするインナー・ウェア。
【請求項２】
編地からなるインナー・ウェアの内面に、内方に突出する畝が多数本形成されており、該畝は実質的に互いに平行に且つ右上りに延在する斜めの畝と実質的に互いに平行に且つ左上りに延在する斜めの畝とからなり、これら２種類の斜めの畝が互いに交差して、菱形状の隆起部が連続して形成されており、前記菱形状の隆起部に囲まれた箇所内に浮き編が設けられていることを特徴とするインナー・ウェア。
【請求項３】
保持ループとして少なくとも４コース以上ウエルトループが形成された浮き編が１ないし５ウェールの間隔を開けて編成され且つ前記浮き編の開始位置が順次ずらされて、前記斜めの畝が形成されていることを特徴とする請求項１または２に記載のインナー・ウェア。
【請求項４】
前記浮き編の開始位置が１ないし５コースずつ順次ずらされて、斜めの畝が形成されていることを特徴とする請求項３記載のインナー・ウェア。
【請求項５】
前記浮き編の開始位置が一定のコース数ずつ順次ずらされて、斜めの畝が形成されていることを特徴とする請求項３または４記載のインナー・ウェア。
【請求項６】前記浮き編の開始位置がばらばらに順次ずらされて、斜めの畝が形成されていることを特徴とする請求項３または４記載のインナー・ウェア。
【請求項７】
前記菱形状の隆起部に囲まれた箇所内に浮き編が設けられていることを特徴とする請求項１に記載のインナー・ウェア。
【請求項８】
前記インナー・ウェアがパンツ部を有するものであり、それの大腿部および足の付け根付近の腹部に前記菱形状の隆起部が設けられていることを特徴とする請求項１〜７の何れか１項に記載のインナー・ウェア。
【請求項９】
前記インナー・ウェアが上衣であり、それの腹部に前記菱形状の隆起部が設けられていることを特徴とする請求項１〜７の何れか１項に記載のインナー・ウェア。
【請求項１０】
前記インナー・ウェアが袖付きの上衣であり、それの上腕部に前記菱形状の隆起部が設けられていることを特徴とする請求項１〜７、９の何れか１項に記載のインナー・ウェア。